(57)【特許請求の範囲】
【請求項１】
平坦部（４３）の一側端を下方に折曲げて形成した前面部（４４）の下部内側に斜上方に立上がらせて挿入片（４６）を形成し、該平坦部の他側端上方に屋根材の挿入片係合用の凹入部（４７）を設けると共に、該凹入部の上方に斜上方に立ち上がらせた掛止部（５２）を設けたアルミ押出成形材からなる屋根材（４２）と、
軒先基板（１８）に設けた外側板（１９）と内側板（２１）との間に、一定間隔毎に複数の通気孔（２３）を有した外気取入部（２２）を設け、該外側板（１９）の前部上端に屋根材の挿入片係合用の受入部（２０）を設けたアルミ押出成形材からなる軒先板材（１７）と、
山形棟部（３１）の両側に設けた壁面板（３２）に一定間隔毎に複数の通気口（３４）を設け、該壁面板の下端内側に設けた係止部（３３）を、屋根の棟部分に取付ける棟固定具（３８）の両側に設けた掛止部（３９）に係合して取付けるアルミ押出形成材からなる換気棟部（３０）と、
基板（６４）に設けた立上部（６５）の上端を一方に折曲げて形成した係合部（６６）の下面に、内方凸部（６７）を設けたアルミ押出成形材からなる垂木片（６３）と、
基部（５６）に形成した支持板（５７）の上部を一側に折り曲げた先端下方に、前記屋根材の凹入部の上方に設けた掛止部掛止用の受止爪片（５９）を設けたアルミ押出成形材からなる吊子片（５５）とからなり、
屋根軒先部分に取付ける軒先板材（１７）の受入部（２０）に前記屋根材の挿入片（４６）を掛止させると共に、前記屋根材を横葺きに連結し、屋根下地（７３）に一定間隔で取付けた垂木片（６３、６３）の間に木毛板（７１、７１）を装着し、該垂木片（６３）上に取付けた吊子片（５５）を用いて屋根材（４２）を取付け、該垂木片の係合部（６３）の先端内面に形成した内方凸部（６７）によって屋根材（４２）の裏面と木毛板（７１）との間に空間部Ｘを形成し、該軒先板材（１７）の外気取入部（２２）から取り入れた外気を、該空間部Ｘを通して換気棟部（３０）の方向に流通させて該換気棟部（３０）に設けた通気口（３４）から排出させるようにしたことを特徴とする換気機能を有する横葺屋根装置。
【発明の詳細な説明】
【０００１】
【発明の属する技術分野】
本発明は、アルミ押出成形材を用いて屋根葺きを行った屋根の内部に外気を流通させて換気を行う屋根装置に関するものである。
【０００２】
【従来の技術】
従来、一般住宅は瓦、工場や体育館等の大型屋根はスレ−ト瓦などを用いて夫々屋根葺きを行っているが、昨今は軽量で構造が丈夫な金属製の屋根板を用いて屋根葺きを行っている。特に、アルミ押出成形材からなる屋根材を使用して屋根構造材である梁の上に取付けた垂木に、断熱性及び吸音性を有する屋根下地または木毛板を敷設し、該木毛板の上面に複数の屋根板を順に接続しながら屋根葺きを行っている。
【０００３】
【発明が解決しようとする課題】
屋根板は、常に外気に晒されているため昼夜または季節による外気の温度変化により伸縮したり、また、該屋根板の裏面に結露が生じたりするものである。この屋根板の内面に生じた結露は、アルミ押出成形材からなる屋根板自身を劣化させることは殆どないが、該屋根板の内側に装着させた断熱性および吸音性を有する木毛板等が湿気を吸収し、さらに、経年変化が加わってアルミ以外の金属材に錆を発生させて腐食したりすると雨漏りの原因となり、屋根の耐久性を劣化させるという問題点を有していた。
本発明は、夫々屋根材を連結して形成する屋根と屋根下地との間に空気を流通させて換気できるようにすることを目的とするものである。
【０００４】
【課題を解決するための手段】
本発明は、平坦部４３の一側端を下方に折曲げて形成した前面部４４の下部内側に斜上方に立上がらせて挿入片４６を形成し、該平坦部の他側端上方に屋根材の挿入片係合用の凹入部４７を設けると共に、該凹入部の上方に斜上方に立ち上がらせた掛止部５２を設けたアルミ押出成形材からなる屋根材４２と、軒先基板１８に設けた外側板１９と内側板２１との間に、一定間隔毎に複数の通気孔２３を有した外気取入部２２を設け、該外側板１９の前部上端に屋根材の挿入片係合用の受入部２０を設けたアルミ押出成形材からなる軒先板材１７と、山形棟部３１の両側に設けた壁面板３２に一定間隔毎に複数の通気口３４を設け、該壁面板の下端内側に設けた係止部３３を、屋根の棟部分に取付ける棟固定具３８の両側に設けた掛止部３９に係合して取付けるアルミ押出形成材からなる換気棟部３０と、基板６４に設けた立上部６５の上端を一方に折曲げて形成した係合部６６の下面に、内方凸部６７を設けたアルミ押出成形材からなる垂木片６３と、基部５６に形成した支持板５７の上部を一側に折り曲げた先端下方に、前記屋根材の凹入部の上方に設けた掛止部掛止用の受止爪片５９を設けたアルミ押出成形材からなる吊子片５５とからなり、屋根軒先部分に取付ける軒先板材１７の受入部２０に前記屋根材の挿入片４６を掛止させると共に、  屋根軒先部分に取付ける軒先板材１７の受入部２０に前記屋根材の挿入片４６を掛止させると共に、前記屋根材を横葺きに連結し、屋根下地７３に一定間隔で取付けた垂木片６３、６３の間に木毛板７１、７１を装着し、該垂木片６３上に取付けた吊子片５５を用いて屋根材４２を取付け、該垂木片の係合部６３の先端内面に形成した内方凸部６０によって屋根材４２の裏面と木毛板７１との間に空間部Ｘを形成し、該軒先板材１７の外気取入部２２から取り入れた外気を、該空間部Ｘを通して換気棟部３０の方向に流通させて該換気棟部３０に設けた通気口３４から排出させるようにしたことを特徴とするものである。
【０００５】
垂木片の係合部に設けた内方凸部により屋根材と屋根下地との間に空間を設け、それによって軒先板材に通気部また換気棟部に通気口を夫々設けたため、屋根材と屋根下地との間に外気を流通させて屋根材の内面を換気して結露の発生を防止し、屋根下地等の経年変化による品質劣化や錆付き等を防ぐものである。
【０００６】
【発明の実施の形態】
以下、本発明の実施例について説明すると、図１は第１の実施形態に係る屋根装置を示すもので、コンクリ−ト板または屋根下地７３上に防水シ−トを介して取付けた複数の屋根材２と、屋根の勾配下端に位置させて取付ける軒先板材１７と、屋根の棟部分に取付けた換気棟部３０とで屋根装置１を構成してある。
【０００７】
図２、３において、屋根材２は、アルミ合金材を押出成形して同一断面に形成し、中間部分に設けた主要部分である平坦部３の一側端には下方に折曲げて前面部５を設け、該前面部５の下端をさらに内側に略直角に折曲げて平坦な底面部６を形成し、この底面部６の先端を斜め上方に立ち上がらせて挿入片７を形成してある。
【０００８】
屋根材２の平坦部３の他側端には、端部を上方に略直角に折曲げて形成した立上部１０の上端を外方に略水平に折曲げて受棚部１１を形成し、該受棚部１１の先端を上下方向に分岐させてある。該分岐部の上方は、立上壁部１２の上端を内側（手前側）に折り返して水平な内折部１３を設け、該内折部の先端には斜面部を介して略水平な掛止片１４を形成し、該受棚部１１と立上壁部１２と内折部１３とで凹入部９を設けてある。また、該分岐部の下方は外側下方に傾斜させた支持脚１５を形成し、該支持脚には長手方向に一定間隔毎に複数切欠いて通気部１６を形成し、該通気部１６、１６の間には外気の流通を一時的に妨げる効果を有する抵抗面部１５ａを夫々残存させてある。
【０００９】
図４〜７において、アルミ合金材を押出成形して同一断面形状に形成した軒先基板１８の外側端に垂直方向に外側板１９を設け、該外側板の上端外面に前記屋根材２の凹入部９と略同一形状をした受入部２０を設けて軒先板材１７を形成してある。この軒先基板１８の略中間下面には、該軒先基板と直角で外側板１９と平行に内側板２１を形成し、該内側板２１と外側板１９との間に外気取入部２２を設けてある。軒先基板１８の外気取入部２２の上方に位置する軒先基板１８の下面に、対をなして掛止部２４を設け、該外気取入部の上方位置の軒先基板には一定間隔毎に通気孔２３を複数形成してある。該掛止部２４には長尺な調節板２５（図５）を摺動可能に挿通し、調節板２５には長手方向に前記通気孔２３と合致する穴部２６を夫々設け、該調節板２５の端部に把手部２７を取付けてある。この調整板２５は必要に応じて外気取入部２２に装着させるが、必ずしも必要ではない。
【００１０】
図９、１０において、コンクリ−ト又は耐水合板等の屋根下地７３上に防水シ−ト（図示せず）を介して直接屋根材２を水平方向に取付けるが、支脚部１５と屋根下地７３との間には間隙が殆ど無い。そのため、該支脚部に一定間隔毎に下方からコ字型に切欠いて通気部１６を設けてある。該通気部の間には抵抗面部１５ａを残存させて、屋根材の内面に取り入れた外気の一部が該抵抗面部に妨げられて一時的に滞留させられ、屋根材の内面隅々に外気が進入して換気効果を高めている。
【００１１】
図１１は、屋根材２の他の使用状態を示すもので、コンクリ−ト板または屋根下地７３上に夫々屋根の勾配方向に取付けた垂木片２８、２８の間に、断熱性および吸音性を有する断熱材または木毛板７１を、該垂木片の係合片２９で夫々係合してある。該垂木片２８、２８上に、防水シ−ト（図示せず）を介して屋根材２を夫々水平方向に取付けるが、支脚部１５と木毛板７１との間に間隙が殆ど無いため、該支脚部に一定間隔毎にコ字型に切欠いて通気部１６を夫々設けてある。
【００１２】
図１３〜１５において、換気棟部３０はアルミ合金材を押出成形して同一断面形状に形成し、中間部に設けた山形棟板３１の両側下部に夫々垂直な壁面板３２を形成してある。この壁面板３２の下端には夫々内側に折曲げて係止部３３を設け、該壁面板３２には空気が流通する通気口３４を一定間隔毎に複数形成してある。この通気口３４の外側には、該通気口の表面側を覆う庇片３５を必要に応じて設けてもよい（図１２）。壁面板３２の外側に、前記屋根材２と換気棟部３０との隙間を調節する調整部片３６を上下動可能に取付けてある。さらに、該調整部片３６とは別体に前記通気口３４の開口量を調整するため、調整片（図示せず）を取付けることも可能である。
【００１３】
３８は、前記換気棟部３０を屋根の棟部分に取付ける長さの短い棟固定具で、中間部に設けた山形状の棟止部３９の両側には、前記換気棟部３０の壁面板３２の下部内側に設けた係止部３３に係合させる掛止板４０を夫々両側上方に逆Ｕ字状に形成してある。この場合、長尺な換気棟部３０は短い棟固定具３８を複数用いて取付けてあるから、屋根板材の内面を通る外気は容易に通気口３４から排出することができる。
【００１４】
次に、屋根装置１の作用について説明すると、図１及び７に示す如く、屋根下地７３の下端の軒先部分に軒先板材１７を取付け、屋根材２の挿入片７を該軒先板材１７に設けた受入部２０に掛止させる。また、図８に示した屋根材２ａの他側端の支脚部１５の上部外側に設けた支脚部１５を屋根下地７３上に固定し、該屋根材２ａの他側端に設けた凹入部９内に、隣接する屋根材２ｂの挿入片７ｂを係合して接続する。この作業を順次繰り返すことにより屋根材２を換気棟部３０方向に順に接続して屋根装置１を形成する。該屋根材２を棟部分まで屋根葺きした後、棟部分に取付けた棟固定具３８に換気棟部３０を係合させて取付け、該棟固定具３８の両側に設けた掛止部４０を換気棟部３０の両側に夫々設けた係止部３３に係止して固定してある。
【００１５】
大気中の外気は図７に矢印で示す如く、軒先板材１７に設けた外気取入部２２から進入し、調節板の孔部２６と通気孔２３を通って屋根材２と屋根下地７３との間の空間部Ｘ内を流通する。この場合、屋根材の他側端に設けた支脚部１５は、屋根下地７３上に直接取付け、または屋根下地に木毛板７１を装着させる垂木片２８に取付けるもので、一定間隔毎に通気部１６を夫々設けてある。しかし、該通気部の間には該支持脚の強度を高めると共に、屋根材２の下側を外気が素通りするのを妨ぐため抵抗面部１５ａを位置させてあるので、外気は抵抗面部１５ａによって夫々の屋根材の内面の隅々まで外気を送り込む効果を有し、換気効果を高めることができる。また、屋根材の支脚部は強度を有して構成してあるため作業員は安心して屋根材上を歩行しながら保守点検することができる。
【００１６】
屋根材２と屋根下地７１との間の空間部内に流入した外気は、図８に矢印で示す如く屋根の傾斜に沿って上昇し、図１３、１４に示す如く換気棟具３０の通気口３４から屋外に排出されて外気が屋根材の内側を流通する。そのため、該屋根材２の裏面に湿気が滞留するのを防止し、滞留した外気と屋根材の外側外気との温度差によって該屋根材の裏面に生ずる結露の発生を防止する。また、万一、結露した場合でも、空気が流通しているため素早く乾燥させて結露を除去することができる。
【００１７】
また、昼夜または季節により外気の温度と屋根材２と屋根下地７３との間の空間部内の温度とが著しく相違することから、図６に示す如く、調節板２５を摺動させて該調節板の穴部２６と外気取入部２２に設けた通気孔２３との重なり合いを調整して開口量を調整し、空気の流通量を調節することにより屋根材２と屋根下地７３との間の空間部Ｘ内を流通する外気の量を調整して温度を調節することも可能である。
【００１８】
図１５〜２０は、本発明の第２の実施形態を示したもので、第２の屋根装置４１は、夫々屋根材４２、吊子片５５、垂木片６３と、前記した軒先板材１７および換気棟部３０とにより構成されている。
【００１９】
図１６において、屋根材４２は、アルミ合金材を押出成形して同一断面形状に形成し、中間部に設けた主要部分である平坦部４３の一側端には下方に湾曲して折曲げた前面部４４を設け、該前面部４４の下端を内側に略直角に折曲げて平坦な底面部４５を形成し、該底面部の先端に先端を斜め上方に折曲げた挿入片４６を形成してある。
【００２０】
屋根板４２の平坦部４３の他側端には、上方に折曲げて形成した立上部４８の上端を外側に略水平に折曲げて受棚部４９を形成し、この受棚部４９の先端をさらに上方に折曲げて形成した立上壁部５０の先端を内方向に折り返して略水平に形成した内折部５１の先端を斜め上方に折曲げた斜面部を介して掛止部５２を設け、該受棚部４９と立上壁部５０と内折部５１とで凹入部４７を形成してある。
【００２１】
図１７において、吊子片５５はアルミ合金材を押出成形により形成したもので、基部５６の略中央に立上がらせて形成した支持板５７の上端を一方に折曲げて平面部５８を形成してある。該平面部５８の先端を下方に鉤形に折曲げて受止爪片５９を形成し、前記基部５６の一側部分には載置部６０を突出して設けてある。
【００２２】
図１８において、垂木片６３はアルミ合金材を押出成形で形成したもので、平坦な基板６４の略中間部に垂直な立上部６５を設け、該立上部の上端を一方に直角に折曲げて水平な係合部６６を形成し、該係合部の先端下面に内方凸部６７を形成してある。
【００２３】
以下、第２の屋根装置４１の作用について説明すると、図１８に示した垂木片６３を使用し、図１９、２０に示すように、屋根下地７３に一定間隔で垂木片６３を取付け、該垂木片６３、６３の間に木毛板７１を装着して、該垂木片の係合部６３の先端内面に形成した内方凸部６７によって屋根材４２の裏面と木毛板７１との間に空間部Ｘを設けてある。
【００２４】
次いで、図１５に示すように、屋根の軒先部分に軒先板材１７を取付け、屋根材４２の挿入部４６を軒先板材１７の受入部２０内に掛止する。さらに、該屋根材４２ａの他端側に設けた掛止部５２を屋根の勾配方向に並行に取付けてある垂木片６３上に夫々一定間隔に位置して取付けた吊子片５５の受止爪片５９に係合させる。該屋根材４２ａの凹入部４７内に隣接する次の屋根材４２ｂの挿入片４６を掛止し、この作業を繰り返す。屋根材４２を棟部分まで接続した後、該棟部分に取付けた棟固定具３８（図１３）に換気棟部３０を被せ、該棟固定具の掛止部４０を該換気棟部の係止部３３に係止させて該換気棟部を固定して第２の屋根装置１４を形成してある。
【００２５】
外気は、軒先板材１７の外気取入部２２に設けた通気孔２３と調節板２５の穴部２６を通り、屋根板４２と木毛板７１との空間部Ｘに流入する。この空間部Ｘに流入した外気は屋根の傾斜に沿って上昇し、棟部分において図１３、１４に示す如く換気棟部３０の通気口３４から屋外に排出し、屋根材４２と木毛板７１との間に設けた空間部Ｘに空気を流通させて換気を行うことができる。
【００２６】
屋根下地７１の表面は、平面部６６の凸部６７に押圧されて屋根材４２と屋根下地７１との間に確実に空間部Ｘを設けて、外気が流通できるようにしたことにより屋根材の裏面に湿気が滞留するのを防止し、且つ、外気と空間部Ｘ内との温度差によって結露が生じるのを防止できる。また、万一結露した場合でも、空気が流通するため素早く乾燥させて結露を除去することができる。
【００２７】
【発明の効果】
本発明の屋根装置は、木毛板と屋根材との間に空間部を設けるため、内方凸部を有した垂木片と、一側端に挿入片及び他側端に屋根材の挿入片係合用の凹入部を夫々設け、該凹入部の上方に斜上方に立ち上がらせた掛止部を吊子片の受止爪片で取付け、外気取入部から外気を取り入れる軒先板材と、通気口を有した換気棟部とで屋根葺きすることにより、屋根材と木毛板との間に設けた空間部に外気を流通させることにより屋根材の裏面側を換気し、万一、結露した場合でも空気が常に流通しているため素早く乾燥させて結露を除去することができる。
昼夜または季節により屋根材と屋根下地との間の空間部内の温度が相違することから、軒先板材の調節板を摺動させて該調節板の穴部と外気取入部の通気孔との重合を調整して空気の流通量を調節することにより温度を調節し、結露の発生を防止するものである。
【図面の簡単な説明】
【図１】  第１の屋根装置の空気流通路を示す一部省略した説明図である。
【図２】  屋根材の端面図である。
【図３】  屋根材の一部省略した斜視図である。
【図４】  軒先板材の一部省略した斜視図である。
【図５】  調節板の一部省略した斜視図である。
【図６】  軒先板材に取付けた調節板の可動状態を示す一部省略した平面図である。
【図７】  軒先板材を屋根の下端に取付けて外気の取入状態を示す要部断面図である。
【図８】  屋根材を複数連結して空気流通路を示す要部断面図である。
【図９】  垂木片の端面図である。
【図１０】  屋根下地に直接屋根材を取付けた状態を示し、図８のＡ−Ａ線断面図である。
【図１１】  他の実施例を示すもので、屋根下地上に装着させる木毛板を装着した垂木片の上に屋根材を取付けた状態を示す一部省略した要部断面図である。
【図１２】  屋根に取付けた屋根材と棟部に取付けた換気棟部との連結状態を示す一部省略した斜視図である。
【図１３】  換気棟部を棟固定具で屋根の棟に取付けた要部拡大断面図である。
【図１４】  図１３の要部拡大断面図である。
【図１５】  第２の屋根装置の空気流通路を示す一部省略した説明図である。
【図１６】  屋根材の端面図である。
【図１７】  吊子片の端面図である。
【図１８】  垂木片の一部省略した斜視図である。
【図１９】  屋根材を複数連結して空気流通路を示した要部断面図である。
【図２０】  図１９のＢ−Ｂ線端面図である。
【符号の説明】
１      第１の屋根装置
２      屋根材
３      平坦部
５      前面部
７      挿入片
９      凹入部
１５    支脚部
１６    通気部
１７    軒先板材
１８    軒先基板
１９    外側板
２０    受入部
２１    内側板
２２    外気取入部
２３    通気孔
２４    掛止部
２５    調節板
２６    穴部
３０    換気棟部
３１    山形棟部
３２    壁面板
３３    係止部
３４    通気口
３６    調整部片
３８    棟固定具
４０    掛止部
４１    第２の屋根装置
４２    屋根材
４７    凹入部
５２    掛止部
５５    吊子片
５７    支持板
５８    平面部
５９    受止爪片
６３    垂木片
６５    立上部
６６    係合部
６７    内方凸部
７１    木毛板
７３    屋根下地
【図１】
0003827380.tif 000002
【図２】
0003827380.tif 000003
【図３】
0003827380.tif 000004
【図４】
0003827380.tif 000005
【図５】
0003827380.tif 000006
【図６】
0003827380.tif 000007
【図７】
0003827380.tif 000008
【図８】
0003827380.tif 000009
【図９】
0003827380.tif 000010
【図１０】
0003827380.tif 000011
【図１１】
0003827380.tif 000012
【図１２】
0003827380.tif 000013
【図１３】
0003827380.tif 000014
【図１４】
0003827380.tif 000015
【図１５】
0003827380.tif 000016
【図１６】
0003827380.tif 000017
【図１７】
0003827380.tif 000018
【図１８】
0003827380.tif 000019
【図１９】
0003827380.tif 000020
【図２０】
0003827380.tif 000021